Podtech/llm-jp-corpus-v4-ja_patent huggingface dataset:
(57)【要約】【課題】  新生児特に未熟児の心拍及び呼吸状態を定量的に監視する。【解決手段】  軟質のシリコンゴムで作られた芯剤１の上に高分子圧電フィルムで作られた複数枚の検出片２複数枚並列に敷き並べ、これを２枚のタオル１の間にサンドウィッチ状に挟んで重ね合わせ検出マットを構成し、それぞれの検出片２から増幅器、Ａ／Ｄ変換機を経由してコンピュータ４に接続し各種の情報解析処理を行い、結果をディスプレイに入力して可視的かつ定量的に表示する【選択図】図１
2006247329.tif 000002
【特許請求の範囲】
【請求項１】
軟質のゴム等で作られた芯剤１の上に高分子圧電フィルムで作られた複数枚の検出片２を並列に敷き並べ、検出シートを構成する。
それぞれの検出片２から増幅器、Ａ／Ｄ変換機を経由してウェブレット解析機能、適応的閾値学習機能、心拍・呼吸波形解析機能、及び異常判別機能を経て警報通報機能を備えたコンピュータ４に接続し結果を定量的に表示する心拍・呼吸看視システム。
【請求項２】
軟質のゴム等で作られた芯剤１の上に高分子圧電フィルムで作られた複数枚の検出片２を並列に敷き並べ、さらにセンサ保護およびセンサ検出感度を向上するために全体をタオル等の布地で包んだ検出シートを用いた請求項１記載の心拍・呼吸看視システム。
【発明の詳細な説明】
【技術分野】
【０００１】  本発明は、新生児、老人等長期臥床者及び睡眠障害者の異常を集中看視するシステムに関する。
【背景技術】
【０００２】    従来の新生児の状態看視はＮＩＣＵ（新生児集中治療室）において未熟児の呼吸・心拍数を計測するために胸部に直接センサを貼り付けて行う方法があるが、この手法では授乳、投薬、おむつ替えなどの時センサ着脱により未熟児の脆弱な皮膚に外傷ができやすく、感染や滲出液の漏洩など医学的な問題となる場合があった。
【発明の開示】
【発明が解決しようとする課題】
【課題を解決するための手段】
【０００３】  本発明は上述の問題を解決するため、新生児等を載せる敷布の中に高分子圧電フィルムをサンドウィッチ状に組み込み、呼吸運動と心臓収縮が高分子圧電フィルム（以下ＰＶＤＦという）に与える動的な押圧力の変化を解析処理して定量的かつ可視的に表示することにより臥床中の呼吸と心拍を非侵襲的に測定看視するものである。【０００４】  ＰＶＤＦは高分子圧電体を薄膜状に製作されたもので、柔軟であり、圧力に対する電圧の出力が微分特性、すなわち静的圧力には反応せず変動圧力にのみ反応する特性を持っているので、計測値に体重等の静的圧力による誤差を生ずることはない。
【発明の効果】
【０００５】  新生児等の脆弱な皮膚に対してもセンサの着脱による外傷、感染、センサ脱落の恐れがなく呼吸、心拍を非侵襲的に計測することが出来る。
また、体重による静的圧力は無視されるので体重差による計測値の誤差はない。
【発明を実施するための最良の形態】
【０００６】  本発明の実施の形態を図面にもとづいて説明する。
図１及び図２に示すように、軟質のシリコンゴムで作られた芯剤１の上にＰＶＤＦで作られた複数枚の検出片２を並列に敷き並べ、これを２枚のタオル３の間にサンドウィッチ状に挟んで重ね合わせ検出シートを構成する。【００１０】  ＦＥＴオペアンプより構成した電荷／電圧変換・増幅器を用いてそれぞれの検出片２がら心臓の鼓動および呼吸運動により発生した電荷信号を変換・増幅し、５０Ｈｚのノッチフィルタを用いて電源ノイズを除去し、Ａ／Ｄ変換機を経由して心臓の鼓動および呼吸運動を検出するためのウェブレット解析機能、被験者の体の位置および姿勢変化によりセンサ出力振幅の変動に対する適応的閾値学習機能、学習した閾値を用いた心拍・呼吸数検出機能、及び検出した心拍・呼吸数情報を用いた異常判別機能を経て警報通報機能を備えたコンピュータ４に接続し図３に示す各種の情報解析処理を行い、結果をディスプレイに入力して可視的に表示するものである。
【図面の簡単な説明】
【００１２】
【００１３】
【図１】本発明の検出シートの平面（一部断面）図
【図２】同発明の検出シートの断面図
【図３】同発明のコンピュータの処理を示すフローチャート図
【符号の説明】
【００１４】  １  芯材      ２  検出片      ３  タオル      ４  コンピュータ
【図１】
2006247329.tif 000003
【図２】
2006247329.tif 000004
【図３】
2006247329.tif 000005
(57)【要約】      （修正有）【課題】衿口の小さな干し物の取り付け、取り外しが簡単に出来る物干しハンガーの提供。【解決手段】強い弾力性を有するホース（１）の中に衿口の径と同程度の長さの支持棒（２）をハンガー本体の中心に挿入装着し、ハンガーを干し物の中に入れるときは衿口の上からハンガー本体の中心を中に押し込み、ハンガーを干し物から取り出すときは衿口からハンガー本体の中心を引っ張り出すこと、ホースの両端部には栓（４）（４）’を設けたことを特徴とする。【選択図】図２
2006247327.tif 000002
【特許請求の範囲】
【請求項１】
強い弾力性を有する素材から成るホース（１）の内側に干し物の衿口の径と同程度の長さの硬い素材から成る支持体（２）を挿入装着し、ホス（１）と支持体（２）の中心にフック（３）を通し、ホース（１）の両端部に栓（４）、（４）′を設けた構成から成る物干しハンガーに関する物である。
【発明の詳細な説明】
【発明の詳細な説明】
【技術分野】
【０００１】  この発明はワイシャツ・セーター等、衿口の付いた干し物を吊り下げる際に使用する物干しハンガーの発明である。
【背景技術】
【０００２】  従来まで、物干しハンガーをセーター等の衿口つきの干し物を干すとき衿口の中に物干しハンガーを通して吊るしていた。これら衿口の小さな干し物は物干しハンガーの長さが大きすぎて衿口から入らず、下から物干しハンガーを中に入れて吊り下げなければならなかった。また乾いた干し物から物干しハンガーを取り外すときは、干し物の下から大きな物干しハンガーを取り外さなければならなかった。このように従来の物干しハンガーで衿口の小さな干し物を取り扱う時は大変手間が掛かりすぎ非常に不便であった。
【発明が解決しようとしている課題】
【０００３】  従来迄の不便な物干しハンガーを解決する為に衿口から干し物を吊るしたり、取り外す事が容易にできる物干しハンガーにした。
【課題を解決するための手段】
【０００４】  図１、２で示す通り肉厚の強い弾力性を有するプラスチック等の素材から成る湾曲したホース（１）を下向にして肩幅の長さに設け、ホース（１）の内側に硬い素材の支持棒（２）を衿口の径と同程度の長さで挿入装着し、ホース（１）の両端部に栓（４）、（４）′を挿入装着して密封し、ホース（１）の左右に中空部（５）、（５）′を設け、ホース（１）および支持棒（２）の中心にフック（３）を通し設けた構成から成る。
【発明の実施形態】
【０００５】  干し物の衿口の周囲は図２の支持棒（２）の部分で保持され、干し物の両肩の部分は肉厚の強い弾力性のあるホース（１）の左右で保持される。物干しハンガーを干し物の中に入れる時は衿口の上から支持棒（２）を中に押し込むとホース（１）の左右も上向きに曲がりながら支持棒（２）と一緒に衿口の中に入っていきます。また物干しハンガーを干し物から取り出すときは衿口から支持棒（２）を引っ張り出すと同時にホース（１）の左右も下向きに曲がりながら支持棒（２）と一緒に外に出て行く状態になり容易に取り外しが可能になります。また、栓（４）、（４）′でホース（１）の両端を密閉し、中空部（５）、（５）′を左右に設けたことにより、ホース（１）を衿口から出入りする際に曲がっても中空部（５）、（５）′の密閉された空気層によってホース（１）の復元性が生じ、ホース（１）の柔軟性を補強する状態になる。
【発明の効果】
【０００６】  本発明の物干しハンガーを使用することにより、衿口の小さな干し物でも取り付け取り外しが大変簡単になり、楽に干し物が出来るようになった。
【図面の簡単な説明】
【図１】  斜面図
【図２】  図１のＡ−Ａ′断面図
【符号の説明】
（１）ホース    （２）支持棒    （３）フック    （４）、（４）′栓
（５）、（５）′中空部
【図１】
2006247327.tif 000003
【図２】
2006247327.tif 000004
(57)【要約】【課題】  首筋の張り肩凝り等を緩和するようにした枕を提供する。【解決手段】  首筋、後頭部を押圧、マッサージするために木箱の上面に発泡スチロール球を強力ボンドで密着させた状態で突設したことを特徴とする枕【選択図】  図１
2006247322.tif 000002
【特許請求の範囲】
【請求項１】
首筋と後頭部を押圧、マッサージ効果を得るために木箱上面に発泡スチロール球を突設したことを特徴とする枕。
【請求項２】
木箱は木のぬくもりを感じさせ発泡スチロール球は肌に当たる感触が、あたたかく優さしい特徴を持つ素材を上面に突設したことを特徴とする枕。
【発明の詳細な説明】
【技術分野】
【０００１】  本発明は人が寝るときに頭を載せる寝具としての枕に関するものであり、特に首筋の張り・肩凝り等を緩和するようにした枕に係るものである。
【背景技術】
【０００２】  従来のイメージ装置の枕としては袋の中に綿・籾穀・そば類・パイプカット・その他、小球体等の充填物してなるものが広く使用されている。【０００３】  上記従来の枕は使い心地などの面では好ましいものであるが、首筋の張り、肩凝り等を緩和し得るものではない。本発明は人が寝る時に頭を載せるたけで首筋の張り肩凝り等を緩和し得るようにした枕を提供しようとしてなされたものである。
【発明の開示】
【発明が解決しようとする課題】
【０００４】  従来の枕にはない素材を使って寝る時に押圧、マッサージ効果を得る枕を提供するものである。
【課題を解決するための手段】
【０００５】  本発明は首筋と後頭部を押圧、頭を上下、左右に動かすことでマッサージ効果を得るようにして肩凝り、首筋を緩和させるために、木箱の上面に発泡スチロール球を突設したことを特徴とする枕。
【発明の効果】
【０００６】  首筋を押圧、後頭部、頭を動かす事によって指圧、マッサージ効果が得られる。木箱上面に発泡スチロール球を突起した事が効果に現われたものである。
【発明を実施するための最良の形態】
【０００７】  図１、１は枕の台となる木箱である、２は木箱１の上面、３は木箱１の縦面、４は木箱上面に突起として乗せる発泡スチロール球である。木箱は白木とし、木材は豊富にあり、製作も簡単である。発泡スチロール球４はカラフルな色が出ており、台１に密着させるボンドも豊富に出廻っている。従来は箱枕と言って髪をくずさないための箱枕の上面は小さく、指圧、マッサージ効果は得られてない。【０００８】  本発明の実施例１を作用して請求項１の枕を使用する際には、仰向けに寝る時、首筋を手前の球に当る、その上の二列は、後頭部が安定するように間隔を開いている、横向きに寝ても首後や首筋横が緩和される。【０００９】  本発明の実施例２を作用して請求項２の枕は、木箱のぬくもりと発泡スチロール球は肌に当たる感触が良く、保温性も優れている。この優れた特徴を持つ枕を、より一層、指圧マッサージ効果を増すには３綴の面を使用して枕を高くすれば押圧が強くかかり快感を得る。首筋の張り、肩凝りは緩和される。
【産業上の利用可能性】
【００１０】  本発明の枕の木箱１の材木は、最近では杉の花粉を飛ぶのを減少させるため、花粉の沢山ついている杉の木を切り倒し、取り除いている情報があるが、切り捨てられた杉の木や、柱にできない曲がった木を利用して木箱を作ったら良いと思う。発泡スチロール球は研究開発が進み安価で豊富に有するもので圧力をかけてもつぶれない。もし商品化できるならば、全国の刑務所の作業として製作される事を望んでいる。新しい素材の健康イボ付箱枕の現実を望む。
【図面の簡単な説明】
【００１１】
【図１】  本発明に係る枕の外観、斜視図
【符号の説明】
１  木箱
２  木箱の上面
３  木箱のタテ面
４  発泡スチロール球
【図１】
2006247322.tif 000003
(57)【要約】      （修正有）【課題】  ブラジャーを洗濯機で洗濯する際、洗濯用ネットの種類は多々あるものの、カップの完全な型くずれや繊維の傷みを防ぎ切れない。更にはブラジャー内側内部の洗浄能力の低下に伴う問題点を解決することにある。【解決手段】球形を呈する網状ボール１にブラジャーを被せ、更に決着部６で決着された洗濯用ネット２をブラジャーの周りに被せ完全に覆うことで型くずれと、傷みを極めて減少させ、更に網状ボール内に設置した数個の浮き球が内部で動き回ることによりブラジャー内側内部の洗浄能力を増加させる。【選択図】図１
2006247324.tif 000002
【特許請求の範囲】
【請求項１】
本発明は女性の下着であるブラジャーを洗濯機で洗濯する際に、ブラジャーの型くずれとブラジャーの繊維の傷みを防ぐために図５の８網状ボールは図１の１に示すようにネットを被せ形成されている。そこにブラジャーを被せ、更にその上から図１の６で決着された洗濯用ネット２を覆い被せてファスナーで閉じることによりブラジャーを洗濯ネット内に固定させる。
【請求項２】
網状ボール内に数個の浮き球を入れることで、網状ボール内で浮き球が動き回ることにより、水流の変化を生じさせブラジャー内側の洗浄を促進させる事と、洗濯槽内において浮力を生じさせる。
【発明の詳細な説明】
【技術分野】
【０００１】  本発明は、ブラジャーを洗濯機で洗濯する際に紐の縺れやブラジャー本体の型崩れなどを防ぎ長期間使用に耐えるために製品本来の強さを持続させる装置に関するもの。
【背景技術】
【０００２】  従来、下着であるブラジャーを洗濯機において洗濯する場合、他の洗濯物と混合して洗濯機に投入すると、ブラジャーの紐部分等が他の洗濯物と絡み合うなどの弊害があり、洗濯機を使用せずに手洗いで洗濯する場合においては手間が掛かるなど、洗濯機と同じように型くずれする弊害があった。【０００３】  また、最近では周知のパンティーやブラジャー等の下着類だけを入れる専用ネットで洗濯機に投入し洗濯する種類のものがある。しかし、この専用ネットには大小様々な大きさがあるものの、大きいネットに入れた場合は、他の衣類と絡みあったり、ブラジャーが型くずれを起こすなどの問題が発生する。更には改良によりブラジャー専用ネットが考案されているが、完全な型くずれは防げずまた、ブラジャー内側の洗浄が低下する欠点もあった。
【特許文献１】特開平１０−１９２５９７号公報
【発明の開示】
【発明が解決しようとする課題】
【０００４】  解決しようとする問題点は、ブラジャーを洗濯、脱水時に他の洗濯物との絡まり及び型崩れと損傷を防ぐこと、更にはブラジャー内側の洗浄促進にある。
【課題を解決するための手段】
【０００５】  本発明は、ブラジャーを洗濯機に投入し洗濯する場合において、ネットを配した網状ボールで形成された図１の１にブラジャーを被せ、更に図１の６で決着された洗濯ネットをブラジャーに覆い被せ５のファスナーで閉じる。更には網状ボール内に設置された数個の浮き球３によりブラジャー内部の洗浄を促進する。
【発明の効果】
【０００６】  本発明の装置を使用することにより、ブラジャーの型くずれや損傷の防止効果と更には網状ボール内に設置した数個の浮き玉による網状ボール内での動きによる水流の変化によりブラジャー内側の洗浄効果と洗濯中においても浮き球による浮力で殆ど洗濯槽上部で回転洗浄される効果がる。
【発明を実施するための最良の形態】
【０００７】  本装置はブラジャーの型くずれと繊維の損傷を防ぎ、同時にブラジャー内側の洗浄効果を促進させた。
【実施例１】
【０００８】  図１の１は図５からなる網状ボールにネットを配し形成されている。図１の２は６で決着された洗濯ネットで５のファスナーを設け、これを裏返しに開いた図である。【０００９】  図３に示すようにブラジャーの紐や帯の部分をカップ内に入れ図２に示すようにブラジャーを１に被せる。さらに６で決着された洗濯ネット２をブラジャーの上から覆い被せ、５の半円ほどに設置されたファスナーを閉めて装着を完了する。【００１０】  網状ボール内には予め図５に示すように３の浮き球が数個入れてあることからこの浮き球が洗濯中に動く事で水流の変化を生じさせ、ブラジャー内部の洗浄をより効果的に実施すると共に浮き球の浮力により、洗濯中でも洗濯槽の殆ど上層で本装置が維持することで型くずれ防止を一層効果的なものとする。
【産業利用上の可能性】
【００１１】  本発明はブラジャーのカップの大きさに応じた容器により数種類のサイズにも適したボール型洗濯ネットを提供出来る
【図面の簡単な説明】
【００１２】
【図１】本装置の網状ボールと専用ネットを裏返しに開いた図である。
【図２】図３のブラジャーを１に被せた図である。
【図３】ブラジャーの帯と紐をカップ内に入れた図である。
【図４】装着を完了した図である。
【図５】１のネット、網状ボールを断面にして浮き球を示した図である。
【符号の説明】
【００１３】１  ネットを被せた網状ボール
２  洗濯ネット
３  浮き球
４  ブラジャー
５  ファスナー
６  網状ボールと専用ネットの決着部
７  洗濯ネットの開口部
８  ネットを外した網状ボール
【図１】
2006247324.tif 000003
【図２】
2006247324.tif 000004
【図３】
2006247324.tif 000005
【図４】
2006247324.tif 000006
【図５】
2006247324.tif 000007
(57)【要約】【課題】  ２個の窓ふきを窓ガラスの内外両面から互いに磁力吸着させて、その吸着状態を保ち乍ら内面の窓ふきを室内から移動操作して両面の汚れをふき取る窓ガラス両面清掃具に、窓ガラスの外面を洗浄して汚れによる摩擦抵抗を低下させて、ふき取り中に外面の窓ふきが吸着状態を離脱することを防止する、洗浄ノズル付き窓ガラス両面清掃具を提供する。【解決手段】  内蔵した電磁石または磁石等によって互いに吸着する２個の窓ふきからなる窓ガラス両面清掃具において、その清掃具の片方の窓ふきに窓ガラスを洗浄するためのノズルを設けたことを特徴とする洗浄ノズル付き窓ガラス両面清掃具。【選択図】  図１
2006247325.tif 000002
【特許請求の範囲】
【請求項１】
内蔵した電磁石または磁石等によって互いに吸着する２個の窓ふきからなる窓ガラス両面清掃具において、その清掃具の片方の窓ふきに窓ガラスを洗浄するためのノズルを設けたことを特徴とする洗浄ノズル付き窓ガラス両面清掃具。
【発明の詳細な説明】
【技術分野】
【０００１】  本発明は、室内から操作して窓ガラスの内外両面の汚れをふき取る清掃具に、窓ガラスの外面を洗浄する機能を持たせた、洗浄ノズル付き窓ガラス両面清掃具に関するものである。
【背景技術】
【０００２】  従来、内蔵した電磁石または磁石等によって窓ガラスの内外両面から互いに吸着させて使用する２個の窓ふきからなる窓ガラス両面清掃具があったが、その清掃具は、吸着させた内面の窓ふきを移動してガラス内面をふくと、外面の窓ふきも吸着状態を保ち乍ら追従移動してガラス外面をふくので、室内から操作して窓ガラスの内外両面の汚れを同時にふき取りできるようになっている。
【発明の開示】
【発明が解決しようとする課題】
【０００３】  そのために次のような問題点があった。
窓ガラスの外面が塵埃等の付着によって著しく汚れている場合には、清掃中に追従移動する外面の窓ふきが、ガラス面の汚れによる摩擦抵抗によって円滑な移動を阻害されて吸着状態を離脱し、清掃の継続が不可能となることがあった。
本発明は以上の問題点を解決しようとするものである。
【課題を解決するための手段】
【０００４】  内蔵した電磁石または磁石等によって互いに吸着する２個の窓ふきからなる窓ガラス両面清掃具において、その清掃具の片方の窓ふきに窓ガラスを洗浄するためのノズルを取付ける。そして、ノズルから洗液を放出させて窓ガラスの汚れを洗浄除去する。以上を特徴とする洗浄ノズル付き窓ガラス両面清掃具である。
【発明の効果】
【０００５】  本発明は、ノズルから窓ガラスへ洗液を放出させることにより、そのガラス面に付着している塵埃等の汚れを洗浄除去すると共に、洗液の潤滑作用によってガラス面の摩擦抵抗を大きく低下させる。したがって、ノズルを設けた窓ふきを窓ガラスの外面に配置して上記のように使用すれば、清掃中の追従移動が円滑になって内面の窓ふきとの吸着状態を離脱しないから、清掃を中断することなく継続して実施できる。
【発明を実施するための最良の形態】
【０００６】  以下、本発明の実施の形態を説明する。
（イ）清掃具の片方の窓ふき（１）に電磁石（３）、他の片方の窓ふき（２）に磁石（        ４）をそれぞれ内蔵させて、双方の下面に備えているガラスふき部（５）を互い        に吸着できるようにする。
（ロ）窓ふき（２）の内部にノズル（６）を設けて、そのノズル（６）の放出方向を窓        ふき（２）の下面に対して俯角にする。
（ハ）上記ノズル（６）は、放出口（７）を窓ふき（２）の前部に臨まし、給液口（８        ）を後部に突出させる。
本発明は以上のような構成であって、これを使用するときは、窓ガラス（１０）の内面に窓ふき（１）、外面に窓ふき（２）をそれぞれ配置し、電磁石（４）に通電して双方のガラスふき部（５）を対向させて互いに吸着させる。ついで、給液口（８）に細いホ−ス（９）を取付けて、ノズル（６）に洗液を連続して送り込む。洗液は放出口（７）から窓ガラス（１０）の外面に放出されて、付着している塵埃等の汚れを洗浄除去すると共に、洗液の潤滑作用によって窓ガラス（１０）の外面の摩擦抵抗を大きく低下させる。窓ふき（１）を室内から操作して、窓ガラス（１０）の内面の汚れをガラスふき部（５）によってふき取ると、窓ふき（２）は摩擦抵抗の低下した窓ガラス（１０）の外面を、窓ふき（１）との吸着状態を離脱することなく追従移動し、ガラスふき部（５）によって残存する汚れをふき取るので、室内から窓ガラス（１０）の内外両面の汚れを同時に、かつ、継続してふき取り清掃することができる。
【図面の簡単な説明】
【０００７】
【図１】  本発明の使用状態を示す一部を切欠した側面図
【符号の説明】
【０００８】      １  窓ふき
２  窓ふき
３  電磁石
４  磁石
５  ガラスふき部
６  ノズル
７  放出口
８  給液口
９  ホ−ス
１０  窓ガラス
１１  電気コ−ド
【図１】
2006247325.tif 000003
(57)【要約】      （修正有）【課題】傘をさすときに生ずる体全体が雨に濡らされることがないようにした雨傘にするための物を提出する、ともに子供が親の手を離れず安全に雨の日に一緒に歩くことができる傘にするための物。【解決手段】本発明は傘にかぶせる手段で袋形本体を傘に上からかぶせる、そのことにより体全身に降り掛かる雨を防ぐことが出来るように構成した。とともに雨の日に子供と濡れずに手をつないで歩くことができるように構成した。【選択図】図１
2006247358.tif 000002
【特許請求の範囲】
【請求項１】
傘の上からかぶせる手段を介して袋形本体を傘にかぶせることを特徴とする袋
【請求項２】
中心の棒先端図１のＡゴムパッキンで固定、ゴムなのでぴったりするため先端からの雨の侵入を防ぐ。
【請求項３】
袋形本体の一面には、小さな穴がいくつか開いていて、外の空気を中に、中の空気を外に送ることを特徴とする。
穴の部分は二重構造になっていて穴からの雨の侵入を防ぐ特徴がある。
【請求項４】
本発明を、しようしているときに視界のさまたげにならないように色彩はなく透明で構成されている。
【請求項５】
普段使用しないときは図２のようにコンパクトになっていて持ち運びには便利になっている。
【請求項６】
本発明の大きは、大人用、子供用でわかれていて長さを図１のＤのようにしてそれぞれボタンで位置をかえることが出来るように構成されている。
【発明の詳細な説明】
【技術分野】本発明は雨により傘をさしている者の衣服が濡れないようにした雨傘装置に関するものである。
〔背景技術〕
従来の傘は雨などが降ったとき完全に濡れないわけではなかった
〔発明が解決しようとする課題〕
傘をさしているときに衣服が濡れないようにする物
雨の日に子供と親が手をつないで傘をさせるようにする物
〔発明の効果〕
雨、雪の日に濡れないで歩くことができるようになる子供が安全に歩くことができる
【図面の簡単な説明】〔図１〕本発明の実施形態を示す部分断面図
〔図２〕持ち運びのときに、たたんである図面
【符号の説明】
Ａ  ゴムパッキン
Ｂ  二重構造の穴の上のカバー
Ｃ  空気を送る穴
Ｄ  長さをかえるボタン
【図１】
2006247358.tif 000003
【図２】
2006247358.tif 000004
(57)【要約】      （修正有）【課題】従来はマスクは白色と言う固定概念が有り、服装又は職業によってもほとんどファッション的な使用方法は考案されていなかった。これを色分けマスクを考案する事により職業別にも色を変え、又服装色によってもマスクの色を変えファッション的に楽しむ事が出来るように考案した物を提供する物で有る。【解決手段】色分けマスク（１）マスクに色々な色を付けて職業又は服装によりファッション的な利用を特徴とする。【選択図】図１
2006247359.tif 000002
【特許請求の範囲】
【請求項１】
色分けマスクをファッションの一部と考えた各色の色々な使用法。
【発明の詳細な説明】
【技術分野】
【０００１】  本発明は服装によりマスクの色を考え職業によっても色分けしてマスクをかける様に考案した物である。
〔背景技術〕【０００２】従来マスクの色は白と言う考えが有り、他の色があってもファッション的な色分けしたものはなかった。
〔発明の開示〕
〔発明が解決しようとする課題〕【０００３】これは次のような問題があった、マスクは白と言う固定概念が有り、どの色の服装をしてもマスクだけは白と言うもので服装とはアンバランスなものであった。
本発明は以上の様な欠点をなくする為になされたもので有る。
〔課題を解決する為の手段〕【０００４】マスクを色々な色で作成し、服装、又は職業によってマスクの色を変えた色分けマスクで有る。
〔発明の効果〕【０００５】マスクの色を色々な色に変える事により、服装職業によって色を考えファッション的に楽しむ事が出来る。
〔発明を実施する為の最良の形態〕【０００６】以下本発明の実施例について説明する。
（１）色分けマスク本発明は以上の様な構造でこのマスクを使用すれば服装、又は職業によって色を変える事によりファッション的に楽しむ事が出来る。
【図面の簡単な説明】
【０００７】〔図１〕本発明の斜視図である
【符号の説明】
【０００８】１．色分けマスク、柄色のマスクにも適用する
【図１】
2006247359.tif 000003
(57)【要約】      （修正有）【課題】太腿ベルトを、ずり落ちないようにする構造物をベルトにて作る。【解決手段】皮製ベルトで股下の太腿を締め付け、腰に巻いた腰ベルト２より、両端が輪状の穴になった連結ベルトを、ソケイ部辺の太腿ベルト１と連結し、同じ形状のベルトを後部にも連結し、別のベルトで片方の端が輪状の穴になったものを、太腿ベルトの横部分に、穴を通した状態で連結し、このベルトの他の端を、肩からおろした両端に、金属製ベルト連結器のついたベルトと連結した。【選択図】図１
2006247352.tif 000002
【特許請求の範囲】
【請求項１】
両足の太腿の上部を、夫々輪状に締め付けたベルトが，下に下がらないように、腰と肩を基にした、腰ベルトからおろしたベルトと、肩から下した両方の、ベルトで、太腿ベルトを止めた構造に、なっている、太腿ベルトを作る方法。
【請求項２】
両足の太腿の上部を、夫々輪状に締め付けたベルトが、下に下がらないように、腰に巻き付けた腰ベルトからおろしたベルトで、太腿ベルトを止めた構造になっている太腿ベルトを作る方法。
【請求項３】
両足の太腿の上部を、夫々輪状に締め付けたベルトが、下に下がらないように、肩から両方の太腿ベルトにおろした肩ベルトの両端が両方の足の太腿ベルトを止めた構造になっている太腿ベルトを作る方法。
【発明の詳細な説明】
【発明の詳細な説明】
【０００１】〔産業状の利用分野〕  本発明は、健康増進するために、使用される器具である。
【０００２】〔従来の技術並びにその課題〕  太腿の上部内側には、ここを刺激すると、健康によいことは、分かっているが、充分な時間、簡単に刺激する方法が見つからず、何かの方法を見つけねばならなかった。
【０００３】〔課題を解決する手段〕  太腿の上部を、輪状にベルトで締め付けて、このベルトが下がらないように、腰に巻き付けた腰ベルトから、太腿ベルトに、連結ベルトを取り付け、肩からたらしたベルトも、太腿ベルトに連結した。
【０００４】〔作用〕  太腿ベルトを装着して、座った時、体を揺り、歩いたりすると、心地よい刺激が、太腿の上方内側と全身に充分な時間感じられる。
【０００５】〔実施例〕  厚さ３．５ｍｍ巾２４ｍｍの革製ベルト（以後のベルト名は、質、形状共同じ）で股下１０ｃｍの太腿を締め付け、腰に巻いた腰ベルトより、両端が輪状の穴になった連結ベルト、長さ１８ｃｍものを、ソケイ部辺の太腿ベルトと連結し、同じ形状の長さ２１ｃｍのベルトを、後部にも連結し、長さ５０ｃｍのベルトで片方の端が輪状の穴になったものを、太腿ベルトの横部分に、穴を通した状態で連結し、このベルトの他の端を、肩からおろした両端に、金属製ベルト連結器のついた長さ９０ｃｍのベルトと連結した。
【０００６】〔発明の効果〕  夜中に、小便に起きなくなった。
【０００７】  夜、布団の中で、体がかゆくなるのが止まった。
【０００８】  副腎からホルモンが多く出た。
【０００９】  劣力が強くなった。
【００１０】  アレルギーが良くなった。
【００１１】  脳の働きが良くなった。
【図面の簡単な説明】
【図１】全体を斜め横、斜めの高さより見た図である。
【図２】夫々のベルトの図である。
【符号の説明】
１  太腿ベルト２  腰ベルト３  肩ベルト４  ソケイ部辺連結ベルト５  後部連結ベルト６  金属製ベルト連結器７  輪状の穴
【図１】
2006247352.tif 000003
【図２】
2006247352.tif 000004
(57)【要約】      （修正有）【課題】従来の線香立は、線香の倒伏に依る火災の心配や、燻り残り滓が生じたりしていた。燻り残り滓は、後々始末の悪いものだったので、線香の倒伏せをなくし、燻り残り滓を出さない線香立てを提供する。【解決の手段】適当高さの金属製の平織りの網籠の線径を０．３ｍｍ以下を使用する方法で、燻り残り滓のない、倒伏の心配のない線香立てを供給できる。【選択図】図１
2006247355.tif 000002
【特許請求の範囲】
【請求項１】
（１）適当高さの、金属製の網籠状の線香立て本体１で、平織りの網の線径、０．３ｍｍ以下を使用する方法を特徴とする燻り残り滓の生じない線香立て製作方法等。
【請求項２】
（１）金属製の網台形の線香供台本体１ａで、平織りの網の線径、０，５ｍｍ以下を使用する方法を特徴とする燻り残り滓の生じない線香立て製作方法等。
【請求項３】
（１）適当高さの金属製網籠状の線香立て本体１の下部３でボルト６を設けた事を特徴とする燻り残り滓の生じない線香立て製作方法等
（２）ネジ穴８付き打ち込み杭７を設け、ボルト６で着脱自在に出来る事を特徴とする請求項３の（１）記載の燻り残り滓の生じない線香立て製作方法等。
【発明の詳細な説明】
【技術分野】
【０００１】  本発明は、一般家庭でも宗教儀式で使用する、線香立てに関する。
【背景技術】
【０００２】  従来の線香立てでも、倒伏の危険を防止するモノはあったが、是でも最後は燻り残り滓が出来る。（例えば、特許公開２００４−２７５７０４参照）
【発明の開示】
【発明が解決しようとする課題】
【０００３】  従来の線香立てでは、線香が倒伏して火災になったり、燻り残り滓が残ったりしていた。
本発明では、従来の線香立てが有していた欠点を完全に解決する為のものである。
【課題を解決する為の手段】
【０００４】  本発明では、前述目的を達成する為、線香立て本体１に、適当高さと適当線径の金属製の平織りの網籠を使用した。金属製の平織りの網籠の下部３に、台４を設けた。以上の様な簡単な形である。  是で線香の倒伏は完全に防止できる。
しかしながら、実際に線香に火を付けて、線香立て本体１の金属製の平織りの網籠の中へ線香を投入すると、線香と金属製の平織りの網籠との接触部で線香の灯が消えるのである。それで、様々に工夫を重ねた結果やっと辿り着いた結論は、線香立て本体１の網籠の平織りの網の線径が問題の鍵である事が解ったのである。
種々実験の結果、下記の様な実験結果を得た。
2006247355.tif 000003
以上の実験結果から、線香立て本体１の金属製の平織りの網籠の線径は、０．３ｍｍ以下を使用する方法が、燻り残り滓も生じず倒伏もなく完璧な結果である。
線香供台１ａでは、線香は横に置く為、燃焼効率が縦の場合よりも良いので、縦の場合よりもやや太い線径でも結果は良好で、金属製の平織りの網の線径は、０．５ｍｍ以下を使用する方法でも燻り残り滓も生じず勿論倒伏もなく完璧な結果を得た。
線香供台１ａでは、線香の太さが２ｍｍだから、金属製平織りの網の編み目は、８ｍｍ以上だと、燻った最後の方で、編み目から燃え尽きるまでに落下して、すぐには消えないけれど燻り残り滓が出来る。だから編み目は７ｍｍ以下を使用するが望ましい。
綾織りでは、好結果は得られなかった。
【発明の効果】
【０００５】  前述した様に、本発明の線香立てでは、金属製の平織りの網で網籠状である為に投入した線香が倒れる事もなく、金属製網籠の平織りの網の線径が細いのを使用する方法で有る為、線香の火が網に触れても接触面が点に近い為、線香の火への空気の妨げが著しく少ない為、途中で立ち消えすることなく、最後まで完全に燃焼し、燻り残り滓も生じず倒伏もなく火災の心配もなく安全である。
【発明を実施する為の最良の形態】
【０００６】  以下、本発明の実施の形態を図１〜図３に基づいて説明する。１は、線香立て本体であって金属製の平織りの網籠である。２は、線香立て本体１の上部。３は線香立て本体１の下部。４は、線香立て本体１の台である。線香立て本体１の形状は、上部２が広く下部３が狭いラッパ状で美観を具備した。また上部２が広い方が線香を投入し易い。下部３に、台４を設ける事で線香立て本体１の倒伏をしない様にした。金属製網籠の線香立て本体１の平織りの網の線径は、０．３ｍｍ以下を使用する方法で製作する。
尚、台４は磁石であっても良い。鉄の上ならくっ付いて安全である。
図２の、１ａ  は、金属製の平織りの網で製作した線香供台本体で、５は線香供台本体１ａの線香の置き所である。６は、線香供台本体１ａの袖部で、６ａは足部である。袖部６は置き所５よりも少し高く、足部６ａは置き所５よりも少し下へ出て、置き所の下に隙間を作り通風を良くして、線香の燃焼を良くした。又、隙間がある事で火災にも成り難い。平織りの網の線径は０．５ｍｍ以下の線径を使用する方法で製作する。
図３では、金属製平織りの網で製作した、線香立て本体１の下部３に、ボルト７を設け、杭８のネジ穴９にネジ込み設置する。墓地などでは、土に打ち込む必要の有る場合がある。そんな時に、杭８を土に打ち込んでから、線香立て本体１の下部に設けたボルト７で杭８のネジ穴９へねじ込み設置すると、簡単に線香立てが墓地で設置できる。また、墓石にネジ穴を設ければ、墓石のネジ穴へ、線香立て本体１の下部３に設けたボルト７を、ねじ込んで設置することもできる。墓地でも安全で墓石を線香の火で焼く事もなく、燻り残り滓も出来ないので清潔である。
金属製の平織り網籠の線径が細いと、ふにゃふにゃと頼りない感じがするが、線香自体軽いものなので心配は要らない。もし、もう少し剛性を増したい場合は、網を二重にすれば良い。
【図面の簡単な説明】
【０００７】
【図１】本発明の方法で製作した線香立ての斜視図
【図２】本発明の方法で製作した線香供台の斜視図
【図３】本発明の他用形態の斜視図
【符号の説明】
【０００８】１は、線香立て本体
２は、上部
３は、下部
４は、台
５は、置き所
６は、袖部
６ａは、足部
７は、ボルト
８は、杭
９は、ネジ穴
【図１】
2006247355.tif 000004
【図２】
2006247355.tif 000005
【図３】
2006247355.tif 000006
(57)【要約】【課題】  従来のお箸は使い慣れていない人には２本の箸が離れているので扱い難く、また整理するのに転がったりして整理しておくのに不便である。【解決手段】  ２本の箸を上部分だけゴム製の柔らかい物で固定する事により、手の指で自由に動かすことが可能になり扱い易くなる。また、常時２本の箸が固定される事により一つが転がったり紛失する事もなく整理しやすいものである。【選択図】  図１
2006247354.tif 000002
【特許請求の範囲】
【請求項１】
通常のお箸を１本、１本を分けて使う形から一つに固定させて使うお箸。お箸の上の部分を少し柔らかいゴム製の物で箸と箸の間を１，５ｃｍ〜２，０ｃｍ開けてつなげ、手の指で自由に広げたり、閉じたりしてつまめるようにしたお箸。
【発明の詳細な説明】
【技術分野】
【０００１】  本発明は、一般家庭及び食事をとる全ての場所において使用するお箸に関する。
【背景技術】
【０００２】  従来のお箸には、別々に分かれた２本のお箸を手の指でただ閉じたり開いたりして使用するものでした。【０００３】  置くと２本のお箸はばらばらになり、整理がつきにくいものでした。【０００４】  お箸が別れているので指で挟みずらいものでした。
【特許文献１】
【費特許文献２】
【発明の開示】
【発明が解決しようとする課題】
【０００５】  以上に述べた従来のお箸では挟みずらく、特にお箸に慣れていないお子様や箸を習慣的に使用しない人には使いずらく、置く時やしまう時にばらばらになり整理に難しい面があった。【０００６】  本発明は、このような従来の構成が有していた問題を解決しようとするものであり、２夲の箸が常にくっ付いているので食べ物を挟み易く、また整理する時もきれいに並べる事ができる。
【課題を解決するための手段】
【０００７】  そして、本発明は上記目的を達成するために２本の箸の上部部分に少し柔らかいゴム製の物で固定して、２本のお箸が離れないようにするものである。【０００８】  また、お箸の間は１，５ｃｍ〜２，０離すので挟んだり、開けたりし易いものである。【０００９】  上記第１の問題解決手段による作用は次の通りである。すなわち、いつも等間隔で固定されているので手の指で慣れない人も挟んだりして動かすのが行い易い。【００１０】  また、第２の問題解決手段による作用は、常に２本の箸が固定されているので転がったりばらばらになったりしてなくなる事もなく、整理が行い易いものである。
【発明の効果】
【００１１】  上述したように本発明のくっ付き箸は、常に２本の箸が等間隔で固定されているため自由にいろいろ動かすのに楽で、また離れる事がないのでばらばらになる事もなくて、どこでも置き易く、整理も行い易いとても便利なお箸として提供できるものである。
【発明の実施するための最良の形態】
【００１２】  以下、本発明の実施の形態を図１と図２に基づいて説明する。
【００１３】  図の黒い部分が少し柔らかいゴム製でできている固定物で、箸の上部部分に箸を両穴の中に通す形で固定されている。
【００１４】  箸の真中部分は少し厚めのゴム製で菱型の形をしている。
【００１５】  上下の部分が菱型なので箸が下にも上にも自由に動き、手の指で通常の箸を動かすようにできるものである。
【００１６】  箸を両穴の中に通してあるだけなので場合によっては自由に取り外しが可能である。
【００１７】  取り外しが可能なので他の箸にも使用する事ができる。
【００１８】  常に２本の箸が固定されているので転がる事もなく、１セットとして扱える。
【００１９】  ２本の箸が常に開いているので箸の使い方に慣れていない人でも楽に操作し易い。
以上のように、本実施形態によれば使い易い、整理し易いというメリットがある。
【図面の簡単な説明】
【００２０】
【図１】  本発明の実施形態を示すくっ付き箸の正面図
【図２】  同くっ付き箸の上部部分を上から見た正面図
【符号の説明】
【００２１】      １  ２本の箸をつなげる本体
２  本体の一部であるが箸を通せる穴状
【図１】
2006247354.tif 000003
【図２】
2006247354.tif 000004
(57)【要約】      （修正有）【課題】体液出納時における補液の制御機能を設けた輸液ポンプに関するものである。【解決手段】輸液ポンプ１に補液側滴下検出器３と、補液側滴下検出器３からのデータ線１０を設け、排出側滴下検出器４と、排出側滴下検出器４からのデータ線１１を設ける。補液を排出量と同じ量にコントロールするプログラムＩＣ５を輸液ポンプ１に設ける。体液の排出量を補液側滴下検出器でカウントして、補液量を滴下数でコントロールするプログラムＩＣ５で制御する。【選択図】図１
2006247356.tif 000002
【特許請求の範囲】
【請求項１】
（イ）輸液ポンプ１に補液側滴下検出器３と補液側滴下検出器３からのデータ線１０を設ける。
（ロ）輸液ポンプ１に排出側滴下検出器４と排出側滴下検出器４からのデータ線１１を設ける。
（ハ）補液を排出量と同じ量にコントロールするプログラムＩＣ５を輸液ポンプ１に設ける。
以上の如く構成された、体液出納における補液制御機能付き輸液ポンプ。
【発明の詳細な説明】
【技術分野】
【０００１】  本発明は、体液出納時における補液の制御機能を設けた輸液ポンプに関するものである。
【背景技術】
【０００２】  われわれの目に見える水は、雨、川、海、水蒸気となって地球環境を循環し、その過程で生物の育成を育てている。これは生体に関しても言えることであり、水は生命維持には不可欠である。
社会生活において、「ひでり」「水害」は脅威であり、人間はその対応を余儀なくされるが、生体においても「脱水」「水の過剰」に対して生体の恒常性維持機構（ホメオスタシス）は最大限に発揮される。
しかしながら、この恒常性維持機構が破綻した場合や、恒常性維持機構を凌駕する水の多寡に対しては、体液管理が必要となる。
医療現場において、ほとんどすべての患者に静脈輸液路あるいは経管栄養チューブが確保されていることで明らかなように体液管理は不可欠である。適切な体液管理は病態の改善、合併症発症予防のみならず在院日数の減少、医療費の削減などに寄与するため、患者、医療提供者にとっても好ましいことであるといっても過言ではない。
人体は、生命維持のために必要な栄養素を取り入れてエネルギーに変換し、老廃物を排泄する新陳代謝を行なっている。この代謝を維持するために重要な役割を果たすのが体液であり、生体の代謝機構は、体液バランスによるホメオスタシスよって維持されている。
成人の体重の約６割は水分である。人は体液を喪失すると非常に重篤な状態に陥る。体液管理は術前、術中、術後と分けられるが、中でも術後の体液管理は、術前、術中に喪失する水分、電解質を補正するとともに、適切なカロリーを補充し、手術侵襲からすみやかな回復をはかることにある。
人体における水分排出は尿や便、汗として直接排泄されるものと、呼吸から排泄される不感蒸泄が知られている。通常一番多いのが尿である。その他、出血、嘔吐、下痢、異常発汗などがあるが、これらの体液量維持には体液欠乏量の推計によって近似計算して輸液管理を行う。
健常人ならば喉の渇き等で口経による水分補給し、飲み過ぎは尿量を多くなるように恒常性が働き、体液は維持できる。しかし、病気の場合は恒常性維持がままならないことも発生する。
術後の患者においては水分摂取を禁じられることが多いが、排出された水分は補給する必要がある。年齢、体重などから基礎代謝量を求め、必要とされる薬剤に加え、栄養素や電解質を投与する。体液量が適正に維持できているかは患者のバイタルから見取れるが、患者での水分出納を一致させることも大事である。意識の無い人や術中、術後などで絶対安静の人たちの排尿は尿道カテーテルにより行なわれているが、主な水分排出である排尿をバッグに貯留し、輸液された量と排出された量が適正であるかを定期的に確認している。
術後体液管理で問題になっているのが、腎移植後の体液管理である。移植後、利尿が無い場合は急性尿細管壊死・拒絶反応等が予測され、利尿がつくまでは血液透析が行われ、その間は溢水にならないように注意し、利尿がついた場合は脱水に気をつける。時間ごとに水分出納をチェックし、電解質の不均衡に注意しながら綿密な補液の管理を行う。この時間ごとの水分出納がくせもので、腎移植直後の腎機能は不安定であるため、尿量が急激に変化する。従来、体液出納時には１時間毎に尿量を目視確認し、輸液ポンプの輸液量を設定しながら、患者が脱水にならないようにしていた。
【発明の開示】
【発明が解決しようとする課題】
【０００３】  しかし、従来の方法では看護師の作業負担が大きく、人為的ミスの可能性も否定できない。
本発明は、以上のような欠点をなくすためになされたものである。
【課題を解決するための手段】
【０００４】  いま、その構成を説明すると、
（イ）輸液ポンプ１に補液側滴下検出器３と補液側滴下検出器３からのデータ線１０を設ける。
（ロ）輸液ポンプ１に排出側滴下検出器４と排出側滴下検出器４からのデータ線１１を設ける。
（ハ）補液を排出量と同じ量にコントロールするプログラムＩＣ５を輸液ポンプ１に設ける。
以上のように装置する。
【発明を実施するための最良の形態】
【０００５】  次に本発明の実施の形態を述べると、体液出納の出である排出量を補液側滴下検出器３でカウントし、納である補液を排出量と同じ滴下数で、補液を排出量と同じ量にコントロールするプログラムＩＣ５で制御する。
【発明の効果】
【０００６】  したがって、この輸液ポンプでは排出側が主となるため過剰輸液は起こりにくく、また排出量が増えても自動的に補液の吐出量が増えるため脱水症状が起きにくい。さらに、看護師の作業負担が少なくなり、人為的ミスの可能性も極力減らすことのできる輸液ポンプである。
【図面の簡単な説明】
【０００７】
【図１】    本発明のブロック図
【符号の説明】
【０００８】  １は輸液ポンプ
２は補液バッグ
３は補液側滴下検出器
４は排出側滴下検出器
５は補液を排出量と同じ量にコントロールするプログラミングＩＣ
６は生体（患者）
７は排出物バッグ
８は補液回路
９は排出回路
１０は補液側滴下検出器からのデータ線
１１は排出側滴下検出器からのデータ線
【図１】
2006247356.tif 000003
(57)【要約】      （修正有）【課題】一重目蓋を二重目蓋にする。【解決手段】二重にしたい目蓋のラインに棒状の接着剤を付け、ヘラで押込み手でおさえて良く付ける。【選択図】図３
2006247360.tif 000002
【特許請求の範囲】
【請求項１】
バンドエイドなどに使用の接着剤をエンピツの芯状で軟らかく加工する事により物に付きやすい。ことを特徴とする。
【請求項２】
原料が接着剤だけを特徴とする
【発明の詳細な説明】
【技術分野】
【０００１】美容
〔背景技術〕【０００２】公開特許公報、公開実用新案公報に出ているのわテープによる二重の方法。
〔発明の開示〕
〔発明が解決しようとする課題〕【０００３】全体がテープのノリで目蓋に付きやすい事を課題とする。
〔課題を解決するための手段〕【０００４】二重にしたい目蓋のラインに棒状の接着剤を付けヘラで押込み手でおさえて良く付ける。
〔発明の効果〕【０００５】自分で楽しく出来る事
私しが３０数年前に成功しています。
【図１】
2006247360.tif 000003
【図２】
2006247360.tif 000004
【図３】
2006247360.tif 000005
【図４】
2006247360.tif 000006
【手続補正書】
【提出日】平成17年5月24日(2005.5.24)
【手続補正１】
【補正対象書類名】明細書
【補正対象項目名】全文
【補正方法】変更
【補正の内容】
【発明の詳細な説明】
【技術分野】
【０００１】美容
〔背景技術〕【０００２】公開特許公報、公開実用新案公報に出ているのわテープによる二重の方法。
〔発明の開示〕
〔発明が解決しようとする課題〕【０００３】全体がテープのノリで目蓋に付きやすい事を課題とする。
〔課題を解決するための手段〕【０００４】二重にしたい目蓋のラインに棒状の接着剤を付けヘラで押込み手でおさえて良く付ける。
〔発明の効果〕【０００５】自分で楽しく出来る事
私しが３０数年前に成功しています。
〔図面の簡単な説明〕【０００６】  〔図１〕全体が接着剤
〔図２〕輪ゴムの様なゴムに接着剤を付けたもの。
〔図３〕凧糸大の糸に接着剤を付けたもの。
〔図４〕平面図
〔図５〕立体図
〔符号の説明〕【０００７】  ▲１▼−接着剤
▲２▼−輪ゴムの様なゴムの芯
▲３▼−凧糸大の糸の芯
(57)【要約】      （修正有）【課題】宝石・石・人工石を金属及は貴金属に斜めに留める加工方法を発明した事により、従来の留める加工とは違い、本来の石のカットの美しさと、相まって、商品の立体的効果、美的効果、良い心理的効果を提供する。【解決手段】  金属及び貴金属の一部に、石のクラウン部、ガードル部、パビリオン部の角度に合せて、切削し、斜めに石をセットし、テーブル部の反対部分の金属及び貴金属を適切な角度と圧力を加え留める。【選択図】 図２
2006247357.tif 000002
【特許請求の範囲】
【請求項１】
眼鏡枠・サングラスにおいて、ブリッジ部・ヨロイ部・テンプル部の金属及び貴金属の一部に斜めに、宝石・石・人工石を留める加工をしたことを特徴とする。
【請求項２】
全身品の一部において、金属・貴金属の一部に、斜めに、宝石・石・人工石を留める加工をしたことを特徴とする。
【請求項３】
第１４類の金属・貴金属の一部に斜めに、宝石・石・人工石を留める加工をしたことを特徴とする。
【発明の詳細な説明】
【技術分野】
【０００１】  本発明は、金属又は貴金属に斜めに、宝石・石・人石石を留める加工方法に関する．
〔背景技術〕【０００２】  従来の宝石・石・人工石を金属・貴金属に留める方法としては、留める面に対し、石のテーブル面がほぼ水平に、留めていた。【０００３】  以下、図３，図４により従来の石を留める加工方法を説明する．図において、１は、金属又は貴金属で２の宝石・石・人工石を留めるには、図３の様に側面から見て、１に対し、３のテーブル面が水平に、ツメを作っておいて留めたり、ツメを彫ってそのツメで留めていた。
〔発明の開示〕
〔発明が解決しようとする課題〕【０００４】以上に述べた石の従来の留め方ですと、留めた石を上から、正面から見ると図４のように、３・のテーブル面と４・のクラウン部が見えるだけであった。【０００５】又、図３のように側面から見た場合でも、２の石の見える部分は、４のクラウン部分と、テーブル面がわずかに見えるだけである。【０００６】本発明は、このような従来の石の見せ方を画期的な方法で解決しようとするものであり、石の従来のカットを正面や上から見ても、図１のように、テーブル面クラウン部，パビリオン部，ガードル部等が見え、商品の美的効果，商品に留まっている石の触り心地など、良い心理効果を提供する事を目的とするものである。
〔課題を解決するための手段〕【０００７】  本発明は上記発明を達成するために、金属又は、貴金属の石を留める部分に、クラウン部からガードル部の角度，ガードル部よりパビリオン部の角度で、切削等により留める石の角度を設定して、石を斜めにきちんとうめ込む。次にテーブル面と反対側、図２ではテーブル面が左側、右側の７の部分を４５°から９０°のうめ込んだ石の傾斜角度に合わせ、適切な角度で、金属又は貴金属に圧力を加わえ、そうする事により、しっかりと石が留まる。
〔発明の効果〕【０００８】上記第１の課題解決手段による効果は次の通りである。すなわち、あらゆる角度から見て、石の見える面積が大きく、また正面，前方，側面，後方からでも、石の立体感を出せることにより、商品のデザイン効果や見ばえを画期的に変えることができる。
〔発明の実施するための最良の形態〕【０００９】  以下、本発明の実施の形熊を図１〜図に基づいて説明する。【００１０】  図５においては、眼鏡枠のヨロイ部８，とテンプル部９に、本発明の加工方法を実施の例である．【００１１】従来ですと、眼鏡枠の側面に石を留めた場合、正面から見ますと石がほとんど見えませんでしたが、本発明の加工方法では正面からもはっきり見える効果があります。横から見ましても図１と図４とでは、同じ石を留めた場合でも、多角的な角度で見た時にもまったく見え方その物がまったく違うので、商品の美的効果、デザイン効果を画期的に変えられる。
【図面の簡単な説明】
【００１２】〔図１〕本発明の実施形態を示す上面図
〔図２〕本発明の断面図
石のカットのクラウン部，ガードル部，パビリオン部の角度に合せ金属又は、貴金属を切削等で角度を合せて石をセットする。
〔図３〕従来の石を留めた場合の側面図
〔図４〕従来の石を留めた上面図
〔図５〕本発明を眼鏡枠のヨロイ部・テンプル部に実施した図．
【符号の説明】
【００１３】１，眼鏡枠・サングラス、身飾品及び金属・貴金属の一部
２，宝石・石・人工石
３，符号２のテーブル面
４，符号２のクラウン部
５，符号２のガードル部
６，符号２のパビリオン部
７，符号１の金属及び貴金属に適切な角度で圧力を加える部分
８，従来の石を留めるツメの部分
９，眼鏡枠のヨロイ部
１０，眼鏡枠のテンプル部
【図１】
2006247357.tif 000003
【図２】
2006247357.tif 000004
【図３】
2006247357.tif 000005
【図４】
2006247357.tif 000006
【図５】
2006247357.tif 000007
(57)【要約】      （修正有）【課題】この簡易式絆創膏は、だれにも容易に貼れからみつく事なく貼り損じを  少なくする。【解決手段】従来の中央型から、パット（２）を端の方に置く事により〔絆創膏（１）のように〕１枚目の剥離紙（３）をはがし傷口にパット（２）部分をあて仮り止めして、２枚目の剥離紙（３）をはがし予備の粘着部分を完全に巻きつけるという行程で極めて新しい行程で簡易である。【選択図】図１
2006247362.tif 000002
【特許請求の範囲】
絆創膏の中央パットを端の方に取り付けた簡易式絆創膏
【発明の詳細な説明】
【発明の詳細な説明】
【０００１】（産業上の利用分野）医薬分野上、利便性に富む
【０００２】（従来の技術）従来のその物は、パットが中央にあり指と指の間の指にそう着の際、傷口にパット部分を押さえつつ片側の粘着部分を巻きつける行程で予備の粘着部分が長く外の指にひっついたり、からまったり貼り損じる事があり少々難儀である
【０００３】（発明が解決しようとする課題）その物の予備の粘着部分が長く、身体的弱者お年寄り子供に特に貼り損じが多くその難儀を解決すべく本発明は、考えられた。
【０００４】（課題を解決するための手段）まず先に傷口に貼るという仮り止めの行程を持って来て、その後、予備の粘着部分を巻きつけるという行程でスムーズで容易になる
【０００５】（発明の実施の形態）従来のパット中央型から端の方に置く事により▲１▼１枚目の剥離紙をはがす▲２▼パット部分を傷口にあて仮り止めする▲３▼２枚目の剥離紙をはがす▲４▼予備の粘着部分を完全に巻きつけるという使用行程になり極めて容易かつ貼り損じを防ぐ事ができる
【０００６】（発明の効果）身体的弱者お年寄り、子供が有効に使用でき簡易になる
【図面の簡単な説明】
【図１】本発明の正面図（平面図）である
【図２】本発明の側面図（断面図）である
【図３】本発明の底面図である
【符号の説明】
１．絆創膏本体２．パット３．剥離紙４．通気孔
【図１】
2006247362.tif 000003
【図２】
2006247362.tif 000004
【図３】
2006247362.tif 000005